(57)【要約】【課題】ワイヤハーネスの外装材とするキャタピラ型のプロテクタにおいて、ケース周壁等との摺接時に異音発生を低減する。【解決手段】樹脂製の帯状の基板に長さ方向に延在する複数本の折曲ラインを折り曲げて筒状に組み立てると共に、長さ方向に間隔をあけて幅方向に一部の連結部を残して切込を入れて、前記連結部側は屈曲しないと共に前記切込を入れた部分は屈曲可とし、かつ、組立状態で少なくとも一辺の外面に摺接用突起部となるリブを設け、あるいは摺接用突起部となる頂点を外方へ突出させた三角形状、五角形状の辺または円弧辺を設けている。【選択図】図１
2014200157.tif 000002
【特許請求の範囲】
【請求項１】
樹脂製の帯状の基板に長さ方向に延在する複数本の折曲ラインを折り曲げて筒状に組み立てると共に、長さ方向に間隔をあけて幅方向に一部の連結部を残して切込を入れて、前記連結部側は屈曲しないと共に前記切込を入れた部分は屈曲可とし、かつ、
組立状態で少なくとも一辺の外面に摺接用突起部となるリブを設け、あるいは摺接用突起部となる頂点を外方へ突出させた三角形状、五角形状、あるいは円弧状の辺を設けていることを特徴とするワイヤハーネス用の外装材。
【請求項２】
前記摺接用突起部となるリブは四角筒形状とした前記外装材の一辺の外面に長さ方向に連続して突設し、
前記リブおよび頂点からなる摺接用突起部は、前記切込を介して長さ方向に延在している請求項１に記載のワイヤハーネス用の外装材。
【請求項３】
請求項１または請求項２に記載の外装材で外装したワイヤハーネスを余長収容用のケース内にターンさせて摺動自在に挿通し、前記ケースの周壁の内周面に沿って前記外装材の前記摺接用突起部を突設した外面を配置し、前記ケースの周壁の内面に前記外装材の摺接用突起部を接触させると共に、前記連結部を設けた側を内周側として配置しているワイヤハーネスの配索構造。
【発明の詳細な説明】
【技術分野】
【０００１】
本発明はワイヤハーネス用の外装材に関し、特に、車両に搭載するスライドシートへ配索される余長を有するワイヤハーネスの外装材とし、余長収容ケース内に挿通する場合に好適に用いられるものである。
【背景技術】
【０００２】
従来、ケーブルの外装保護材として、特開２００８−２５７７５号公報に図１０に示す折り曲げ組立式のケーブル保護材が提供されている。該ケーブル保護材は合成樹脂製テープを長さ方向に設けられている折り目線１０１に沿って折り曲げて矩形断面の筒形状として組み立て、幅方向に平行に設けた分割スリット１０２で屈曲可能で且つ屈曲方向が規制できる外装保護材１１０とされている。特開２０１０−７８０７号公報においても同様な組立式で四角筒状とした屈曲性外装部品が提供されている。これらの折り曲げ組立式で四角筒形状とした外装材は、小型、軽量かつ安価である利点がある。
【０００３】
一方、車両に搭載するスライドシートへ配索するワイヤハーネスやスライドドアに配索するワイヤハーネス等の余長を有するワイヤハーネスは、スライドシートやスライドドアの移動に応じて追従移動させ、外装材で保護されている。該外装材としてコルゲートチューブが用いられる場合が多いが、コルゲートチューブは曲げ方向は規制できないため、曲げ方向を規制できる前記折り曲げ組立式の外装材が好適に用いられる。
【０００４】
例えば、本出願人の先願に係わる特開２０１１−１２１４５９号公報に記載のスライドシート用のワイヤハーネス配索構造では、図１１に示すように、ワイヤハーネス２００の余長部分を余長収容ケース２０１内にターンさせて挿通している。
図１２に示すように、前記余長収容ケース２０１内に前記折り曲げ組立式の四角筒状の外装保護材１１０で外装したワイヤハーネスを収容すると、外装材の外周側の一辺１１０ａが余長収容ケース２０１の周壁２０１ａの内面に面接触し、スライドシートの前後スライド移動に対応して、摺接することになる。
【先行技術文献】
【特許文献】
【０００５】
【特許文献１】特開２００８−２５７７５号公報
【特許文献２】特開２０１０−７８０７号公報
【特許文献３】特開２０１１−１２１４５９号公報
【発明の概要】
【発明が解決しようとする課題】
【０００６】
前記図１２のように、余長収容ケース２０１の周壁２０１ａに四角筒状の外装材で外装したワイヤハーネスがスライドシートの前後スライド移動に応じて移動すると、面接触した外装保護材１１０の外側面１１０ａと余長収容ケース２０１の内周面２０１ａとの間に異音が発生し、かつ、接触摩耗により耐久性の点でも改善の余地がある。
【０００７】
本発明は前記問題に鑑みてなされたもので、ワイヤハーネスの外装材と、該外装材で外装したワイヤハーネスを摺動自在に挿通するケースとの接触摩耗を低減することを課題としている。
【課題を解決するための手段】
【０００８】
前記課題を解決するため、第１の発明として、
樹脂製の帯状の基板に長さ方向に延在する複数本の折曲ラインを折り曲げて筒状に組み立てると共に、長さ方向に間隔をあけて幅方向に一部の連結部を残して切込を入れて、前記連結部側は屈曲しないと共に前記切込を入れた部分は屈曲可とし、かつ、
組立状態で少なくとも一辺の外面に摺接用突起部となるリブを設け、あるいは摺接用突起部となる頂点を外方へ突出させた三角形状、五角形状、あるいは円弧状の辺を設けていることを特徴とするワイヤハーネス用の外装材を提供している。
【０００９】
前記摺接用突起部となるリブは四角筒形状とした前記外装材の一辺の外面に長さ方向に連続して突設し、
前記リブおよび頂点からなる摺接用突起部は、前記切込を介して長さ方向に延在している。
【００１０】
前記本発明のキャタピラ型のプロテクタからなる外装材は、外面に前記摺接用突起部を設けているため、該外装材で外装したワイヤハーネスを余長収容ケース内に摺動自在に収容し、該余長収容ケースの内周面に前記外装材を摺接させる場合、該外装材の外面に突設した前記摺接用突起部が余長収容ケースの内周面と線接触状態で摺接し、面接触と比較して接触摩擦が低減し、接触時に発生する異音を低減でき、しかも、該外装材で外装したワイヤハーネスをスムーズに移動させることができる。
【００１１】
また、本発明は、前記第１の発明の外装材で外装したワイヤハーネスを余長収容用のケース内にターンさせて摺動自在に挿通し、前記ケースの周壁の内周面に沿って前記外装材の前記摺接用突起部を突設した外面を配置し、前記ケースの周壁の内面に前記外装材の摺接用突起部を接触させると共に、前記連結部を設けた側を内周側として配置しているワイヤハーネスの配索構造を提供している。
【００１２】
前記本発明の外装材で外装したワイヤハーネスを車両に搭載するスライドシートに配索する場合、フロア側から配索するワイヤハーネスを余長収容用のケース内にターンさせて通した後に、前記スライドシート用のシートレールの側面に設置する１本の直線状のハーネスレールに挿通し、該ハーネスレール内に移動自在に嵌合すると共に前記スライドシートに連結しているスライダを通してスライドシートに配索することが好ましい。
【発明の効果】
【００１３】
前記のように、本発明のワイヤハーネスの外装材は、外面に前記摺接用突起部を設けているため、該外装材で外装したワイヤハーネスを余長収容ケース内に摺動自在に収容し、該余長収容ケースの内周面に前記外装材を摺接させる場合、該外装材の外面に突設した前記摺接用突起部が余長収容ケースの内周面と線接触状態で摺接し、面接触と比較して接触摩擦が低減し、接触時に発生する異音を低減でき、しかも、該外装材で外装したワイヤハーネスをスムーズに移動させることができる。
【図面の簡単な説明】
【００１４】
【図１】本発明の第１実施形態を示し、（Ａ）は外装材とするキャタピラ型のプロテクタの斜視図、（Ｂ）は展開図、（Ｃ）はワイヤハーネスを外装した状態の斜視図、（Ｄ）は屈曲状態を示す斜視図である。
【図２】（Ａ）（Ｂ）は要部拡大断面図である。
【図３】前記プロテクタで外装したワイヤハーネスを余長収容ケースに挿通した状態を示し、（Ａ）は斜視図、（Ｂ）は断面図である。
【図４】適用するスライドシートを示す斜視図である。
【図５】（Ａ）（Ｂ）はスライドシートへ配索するワイヤハーネスを前記プロテクタで外装して余長収容ケースに挿通し、スライドシートの移動に応じて余長収容ケース内で移動している状態を示す説明図である。
【図６】第１実施形態の変形例の断面図である。
【図７】第２実施形態のキャタピラ型のプロテクタを示し、（Ａ）は斜視図、（Ｂ）は展開図、（Ｃ）（Ｄ）は余長収容ケース内への挿通状態を示す断面図である。
【図８】第２実施形態の変形例を示す図面である。
【図９】第３実施形態を示し、（Ａ）はワイヤハーネスに外装したプロテクタを余長吸収ケース内に挿通した状態を示す断面図、（Ｂ）は余長収容ケースの斜視図である。
【図１０】従来例の斜視図である。
【図１１】（Ａ）（Ｂ）は他の従来例を示す図面である。
【図１２】従来の問題点の説明図である。
【発明を実施するための形態】
【００１５】
以下、本発明の実施形態を図面を参照して説明する。
図１乃至図５に第１実施形態のワイヤハーネスの外装材となるキャタピラ型のプロテクタを示す。
【００１６】
該プロテクタ１０は四角筒状で、図１（Ｂ）に示す帯状の連続した長尺材からなる基板４０を折り曲げて組み立てている。基板４０は、樹脂を押し出し成形して形成し、長さ方向Ｘに延在する４本の折曲ライン４１、４２、４３、４４を幅方向Ｙの中間部に間隔をあけて設け、基板４０を幅方向に５個の辺Ｓ１〜Ｓ５に区画し、折曲ライン４１〜４４を直角に折り曲げ、幅方向の両側辺Ｓ１とＳ５を重ねることで図１（Ａ）（Ｃ）に示すように、四角筒状に組み立てられるようにしている。
【００１７】
前記基板４０の折曲ライン４２と４３との間の幅方向の中央部に図２（Ａ）に示すように円弧状に膨出させたリブ５０を長さ方向に連続して設け、該リブ５０を摺接用突起部としている。
【００１８】
両側の一方側の辺Ｓ１の側縁に係止突片４５を長さ方向Ｘに間隔をあけて突設している。該係止突片４５は円弧状の突出部の根元両側に切込４５ａを設け、両側に係止辺４５ｂが突出する形状としている。基板４０の他方側の辺Ｓ５に係止突片４５を挿入係止する細長い係止穴４６を設けている。該係止穴４６の長さ方向両端に切込４６ａを設け、その先端に小径穴４６ｃを設けている。前記切込４６ａに係止辺４５ｂがかかるようにし、かつ、小径穴４６ｃで切込４６ａの先端から亀裂が生じないようにしている。基板４０を折曲ライン４１〜４４に沿って折り曲げ、辺Ｓ１とＳ５を重ねた状態で係止突片４５を係止穴４６に挿入係止することで、連続した辺Ｓ６とし四角筒形状を保持できるようにしている。
【００１９】
基板４０には前記４本の折曲ライン４１〜４４を結ぶ幅方向Ｙの切込ライン４８を長さ方向Ｘに間隔をあけて設け、辺Ｓ２、Ｓ３、Ｓ４および前記リブ５０を分離している。該切込ライン４８の両端、すなわち、折曲ライン４１および４４と接する位置には小径穴４８ａを連続して設け、先端からの亀裂発生を防止している。さらに、切込ライン４８の中央部で辺Ｓ３の中央位置のリブ５０を形成した部分に直線を湾曲させた円弧状の切込を設け、長さ方向に隣接する一方側を円弧状に突出させ、他方を円弧状に窪ませ、凹凸嵌合部を設けている。
【００２０】
基板４０に設ける折曲ライン４１〜４４は、図２（Ｂ）に示すように、板厚の１／３程度を切削して断面円弧状のラインとしている。前記切込ライン４８、係止穴４６、係止突片４５はすべて平板を打抜いて形成している。よって、基板４０を成形した後に、打抜加工、切削加工で形成している。
【００２１】
前記プロテクタ１０は予め折曲ライン４１〜４４を折り曲げる一方、係止突片４５は係止穴４６に挿入せず、開いた状態でワイヤハーネス５の電線群を折り曲げたプロテクタ１０の両側辺Ｓ１とＳ５の間の開口から挿入する。この電線群の挿入後に辺Ｓ１とＳ５を重ね、係止突片４５を係止穴４６に挿入係止し、連続した辺Ｓ６を設け、辺Ｓ２，３，４，６からなる四角筒の中に電線群を挿入した状態で外装するものとしている。
【００２２】
前記プロテクタ１０は四角筒の３辺Ｓ２、Ｓ３、Ｓ４が切込ライン４８で長さ方向で分離され、重ねて係止した辺Ｓ１とＳ５が長さ方向で屈曲自在に連結された構成となり、かつ、分離された辺Ｓ３は、隣接する辺Ｓ３同士が円弧状切込で凹凸嵌合する状態となる。即ち、短尺な四角筒が屈曲自在に長さ方向に順次連結し、かつ、隣接する四角筒同士を凹凸嵌合させているため幅方向にずれないキャタピラ状のプロテクタとしている。
【００２３】
図１（Ｃ）に示すように、辺Ｓ１とＳ５とを係止して四角筒状としたプロテクタ１０にワイヤハーネス５の電線群を挿通して保護している。該プロテクタ１０は図１（Ｄ）に示すように、内周側となる辺Ｓ６が長さ方向に連続し、他辺Ｓ２、Ｓ３、Ｓ４は分離し、外周側では切込ライン４８で分離した各部の間隔が広がり、屈曲できるようにしている。
【００２４】
本実施形態では、スライドシートに配索するワイヤハーネス（シートハーネス）にプロテクタ１０を外装し、図３に示すように余長収容ケース８内に挿通している。該余長収容ケース８は浅底の本体８−１に蓋８−２をかぶせている。
【００２５】
前記余長収容ケース８は本体８−１の長さ方向の一端側に円弧部８ａを備え、幅方向の両側は直線部８ｂとし、他端の幅方向の両側に出入用の開口８ｃ、８ｄを備えている。開口８ｃと８ｄの間で本体８ー１内に挿入するプロテクタ１０で外装したワイヤハーネス５を円弧部８ａ側で回転させて挿通し、スライドシート１の前後移動に応じて、図５（Ａ）に示すように、余長収容ケース８内にワイヤハーネス５の余長部分を収容し、図５（Ｂ）に示すようにワイヤハーネス５の余長部分を引き出している。
【００２６】
余長収容ケース８内において、プロテクタ１０はリブ５０を突設した辺Ｓ３を外周に位置させ、連続した辺Ｓ６を内周側に位置させて挿通している。すなわち、外周側は屈曲して開閉させる必要があるため辺３を位置させ、内周側は屈曲しない辺Ｓ６を位置させている。
【００２７】
前記余長収容ケース８は図４、５に示すように、スライドシート１の下部に敷設したシートレール６の側方に隣接配置するハーネスレール７の前端に連続して配置している。スライドシート１に装着した電装品（図示せず）に給電するために、フロアパネルからスライドシート１へワイヤハーネス５を配線している。一方のシートレール６の側面に、１本の直線状のハーネスレール７を設置すると共に、該ハーネスレール７の前端に連続させて余長収容ケース８を設置している。フロアパネルに配索するフロアハーネスから分岐したワイヤハーネス５を余長収容ケース８およびハーネスレール７に連続して配線し、ハーネスレール７に摺動自在に嵌合するスライダ９に通し、該スライダ９をスライドシート１の脚部に連結すると共に、ワイヤハーネス５をスライドシート１内に配線している。
前記のように、ハーネスレール７は直線状に延在し、該ハーネスレール７の前端にＵ形状の前記長収容ケース８を連続させ、全体として略Ｊ字形状としている。
【００２８】
図５に示すように、スライドシート１の前後移動に連動してプロテクタ１０で外装したワイヤハーネス５の余長を吸収している。
プロテクタ１０の外周側の辺Ｓ３は余長収容ケースの本体の両側の直線部８ｂと前端の円弧部８ａとの内周面に接触する際、図３（Ｂ）に示すように、内周面に突出したリブ５０が接触する。よって、スライドシート１の前後移動に応じて移動するワイヤハーネス５は、プロテクタ１０のリブ５０がケースの内周面に線接触しながら摺動することになり、面接触しながら摺動する場合と比較して異音の発生を低減できる。
【００２９】
具体的には、図５（Ａ）はスライドシート１が前方位置にある場合を示し、図５（Ｂ）はスライドシート１が後方位置にある場合を示す。スライドシート１を前方から後方へとスライドさせていくと、余長収容ケース８内に収容されていたプロテクタ１０で外装したワイヤハーネス５が開口８ｃから引き出され、ハーネスレール７に挿入されていくと共に、余長収容ケース８内のワイヤハーネス５の前端屈曲部が余長収容ケース８の後方へ移動する。
一方、スライドシート１が後方から前方へスライドすると、余長収容ケース８内のＵ形状の屈曲部が前方へ移動すると共に、ハーネスレール７のハーネス挿通部に挿通されていたワイヤハーネス５が開口８ｃから余長収容ケース８内へと引き込まれ余長部として収容される。
【００３０】
図６に第１実施形態のプロテクタの変形例を示す。
該変形例のプロテクタ１０−１では辺Ｓ３の中央にリブ５０を設ける代わりに、辺Ｓ３自体を円弧状に膨出させ、円弧の頂点を余長収容ケース８の内面に線接触させている。
【００３１】
図７（Ａ）〜（Ｄ）に第２実施形態のキャタピラ型のプロテクタ１０−２を示す。
第２実施形態のプロテクタ１０−２は三角筒状とし、図８（Ｂ）に示すように、帯状の基板４０に折曲ライン４１〜４３を設けて辺Ｓ１〜Ｓ４に区分けし、辺Ｓ１に係止片４５を突設し、辺Ｓ４に係止溝４６を設け、折り曲げて係止すると、辺Ｓ１とＳ４とからなる辺Ｓ５とＳ２、Ｓ３からなる３辺を形成し、各折曲ライン４１〜４３の位置が三角形の各頂角となる。頂角となる折曲ライン４２をケースの周壁内面に線接触させる摺動突出部としている。
【００３２】
このように、第２実施形態のプロテクタ１０−２は断面三角形としているため、第１実施形態のようにリブを設ける必要はなく、図７（Ｃ）または（Ｄ）に示すように、頂点（折曲ライン）の１つをケース周壁に線接触させ、他の頂点の１つをケース底壁８ｆに線接触させるだけで、異音の発生を防止できる。
【００３３】
図８に第２実施形態の変形例を示す。
図８に示す変形例では、キャタピラ型のプロテクタ１０−２Ａは三角筒状に代えて五角筒状とし、その頂点を余長収容ケース８に摺接させている。
【００３４】
図９（Ａ）（Ｂ）に第３実施形態を示す。
第３実施形態では外装用のプロテクタ１０−３は四角筒状とし、第１実施形態のプロテクタとはリブ５０を設けていない点だけが相違する。
該四角筒状のプロテクタ１０−３でワイヤハーネスを外装して挿通する余長収容ケース８５の周壁８５ａを円弧形状としている。
このように、ケース側の周壁を円弧状とすることで、四角筒状のプロテクタ１０−３をケースの周形状８５ａと線接触させて、異音の軽減を行うことができる。
【００３５】
本発明は前記実施形態に限定されず、本発明のキャタピラ型のプロテクタで外装したワイヤハーネスを車体パネルに沿って配索する場合にも車体パネルとの接触面に前記リブまたは頂点を配置してもよい。さらに、スライドドアに接続するワイヤハーネスを前記プロテクタで保護してもよく、本発明の要旨を越えない範囲で種々に変更することができる。
【符号の説明】
【００３６】
１  スライドシート
５  ワイヤハーネス
６  シートレール
７  ハーネスレール
８  余長収容ケース
９  スライダ
１０  キャタピラ型のプロテクタ
４０  基板
４１〜４４  折曲ライン
４８  切込ライン
５０  リブ
【図１】
2014200157.tif 000003
【図２】
2014200157.tif 000004
【図３】
2014200157.tif 000005
【図４】
2014200157.tif 000006
【図５】
2014200157.tif 000007
【図６】
2014200157.tif 000008
【図７】
2014200157.tif 000009
【図８】
2014200157.tif 000010
【図９】
2014200157.tif 000011
【図１０】
2014200157.tif 000012
【図１１】
2014200157.tif 000013
【図１２】
2014200157.tif 000014